(57)【特許請求の範囲】
【請求項１】
第１の無線接続手段で接続される他の画像表示装置との間で画像データの送受を行なう複数の画像表示装置と、第２の無線接続手段で上記画像表示装置と接続される移動端末装置とを含む無線通信システムであって、
上記画像表示装置はそれぞれ、
自装置が上記複数の画像表示装置のうち、上記移動端末装置の最も近くに存在することを検出する検出手段と、
上記検出手段での検出結果に応じて、上記移動端末装置の最も近くに存在する状態となった場合に、上記移動端末装置に記憶されていた画像データ、または上記移動端末装置に関連した画像データのいずれかである所定の画像データを表示する第１の表示制御手段と、
上記移動端末装置の移動に伴い、上記検出手段での検出結果に応じて、自装置が上記移動端末装置の最も近くに存在する状態から外れた場合に、上記所定の画像データの表示を禁止する第２の表示制御手段と
を具備したことを特徴とする無線通信システム。
【請求項２】
上記第２の表示制御手段は、上記所定の画像データの表示を禁止する際、当該所定の画像データを記憶している記憶手段から削除することを特徴とする請求項１記載の無線通信システム。
【請求項３】
上記複数の画像表示装置は、アドホック通信により上記所定の画像データの送受を行なうことを特徴とする請求項１記載の無線通信システム。
【請求項４】
第１の無線接続手段で接続される他の画像表示装置との間で画像データの送受を行なう複数の画像表示装置と、第２の無線接続手段で上記画像表示装置と接続される移動端末装置とを含む無線通信システムにおける画像表示装置であって、
自装置が上記複数の画像表示装置のうち、上記移動端末装置の最も近くに存在することを検出する検出手段と、
上記検出手段での検出結果に応じて、上記移動端末装置の最も近くに存在する状態となった場合に、上記移動端末装置に記憶されていた画像データ、または上記移動端末装置に関連した画像データである所定の画像データを表示する第１の表示制御手段と、
上記移動端末装置の移動に伴い、上記検出手段での検出結果に応じて、自装置が上記移動端末装置の最も近くに存在する状態から外れた場合に、上記所定の画像データの表示を禁止する第２の表示制御手段と
を具備したことを特徴とする画像表示装置。
【請求項５】
第１の無線接続手段で接続される他の画像表示装置との間で画像データの送受を行なう複数の画像表示装置と、第２の無線接続手段で上記画像表示装置と接続される移動端末装置とを含む無線通信システムにおける画像表示装置が内蔵するコンピュータを、
自装置が上記複数の画像表示装置のうち、上記移動端末装置の最も近くに存在することを検出する検出手段と、
上記検出手段での検出結果に応じて、上記移動端末装置の最も近くに存在する状態となった場合に、上記移動端末装置に記憶されていた画像データ、または上記移動端末装置に関連した画像データである所定の画像データを表示する第１の表示制御手段と、
上記移動端末装置の移動に伴い、上記検出手段での検出結果に応じて、自装置が上記移動端末装置の最も近くに存在する状態から外れた場合に、上記所定の画像データの表示を禁止する第２の表示制御手段と
して機能させることを特徴とするプログラム。
【請求項６】
第１の無線接続手段で接続される他の画像表示装置との間で画像データの送受を行なう複数の画像表示装置と、第２の無線接続手段で上記画像表示装置と接続される移動端末装置とを含む無線通信システムにおける無線通信方法であって、
自装置が上記複数の画像表示装置のうち、上記移動端末装置の最も近くに存在することを検出する検出工程と、
上記検出工程での検出結果に応じて、上記移動端末装置の最も近くに存在する状態となった場合に、上記移動端末装置に記憶されていた画像データ、または上記移動端末装置に関連した画像データである所定の画像データを表示する第１の表示制御工程と、
上記移動端末装置の移動に伴い、上記検出工程での検出結果に応じて、自装置が上記移動端末装置の最も近くに存在する状態から外れた場合に、上記所定の画像データの表示を禁止する第２の表示制御工程と
を有したことを特徴とする無線通信方法。
【発明の詳細な説明】
【技術分野】
【０００１】
本発明は、例えば無線ＬＡＮやブルートゥースに代表される無線通信技術を用いてデータファイルを共有する画像表示装置、プログラム、無線通信システム及び無線通信方法に関する。
【背景技術】
【０００２】
従来、第１の拠点に設置されディスプレイ装置に記憶された画像データファイルを、ネットワークを介して、遠隔地である第２の拠点に設置された複数のディスプレイ装置にそれぞれ配信する技術が提案されている。（例えば、特許文献１）
この特許文献の技術では、第１の拠点に設置されているディスプレイ装置に記憶された元のファイルを分割した分割ファイルを、第２の拠点に設置された複数のディスプレイ装置にそれぞれ１つだけ送信する。そして、第２の拠点に設置された特定のディスプレイ装置が、第１の拠点に設置されディスプレイ装置から自身が受け取った分割ファイルと、第２の拠点に設置された他のディスプレイ装置から受け取った分割ファイルとに基づいて、分割前のファイルを復元する。
【０００３】
したがって、元のファイルを分割して第２の拠点に設置された複数のディスプレイ装置に送ることにより、元のファイルの秘匿性を確保できる。
【先行技術文献】
【特許文献】
【０００４】
【特許文献１】特開２００８−１１７３３０号公報
【発明の概要】
【発明が解決しようとする課題】
【０００５】
しかしながら上述した特許文献の技術では、第３者が、第２の拠点に設置された任意のディスプレイ装置の正規の操作者になりすまし、当該任意のディスプレイ装置に他のディスプレイ装置から分割ファイルを集約することにより、元のファイルを復元することができる、という不具合がある。
【０００６】
本発明は上記のような実情に鑑みてなされたもので、その目的とするところは、複数の無線通信装置間で共有し得る画像データの秘匿性をより高めることが可能な画像表示装置、プログラム、無線通信システム及び無線通信方法を提供することにある。
【課題を解決するための手段】
【０００７】
請求項１記載の発明は、第１の無線接続手段で接続される他の画像表示装置との間で画像データの送受を行なう複数の画像表示装置と、第２の無線接続手段で上記画像表示装置と接続される移動端末装置とを含む無線通信システムであって、上記画像表示装置はそれぞれ、自装置が上記複数の画像表示装置のうち、上記移動端末装置の最も近くに存在することを検出する検出手段と、上記検出手段での検出結果に応じて、上記移動端末装置の最も近くに存在する状態となった場合に、上記移動端末装置に記憶されていた画像データ、または上記移動端末装置に関連した画像データである所定の画像データを表示する第１の表示制御手段と、上記移動端末装置の移動に伴い、上記検出手段での検出結果に応じて、自装置が上記移動端末装置の最も近くに存在する状態から外れた場合に、上記所定の画像データの表示を禁止する第２の表示制御手段とを具備したことを特徴とする無線通信システムを提供するものである。
また、請求項４記載の発明は、第１の無線接続手段で接続される他の画像表示装置との間で画像データの送受を行なう複数の画像表示装置と、第２の無線接続手段で上記画像表示装置と接続される移動端末装置とを含む無線通信システムにおける画像表示装置であって、自装置が上記複数の画像表示装置のうち、上記移動端末装置の最も近くに存在することを検出する検出手段と、上記検出手段での検出結果に応じて、上記移動端末装置の最も近くに存在する状態となった場合に、上記移動端末装置に記憶されていた画像データ、または上記移動端末装置に関連した画像データである所定の画像データを表示する第１の表示制御手段と、上記移動端末装置の移動に伴い、上記検出手段での検出結果に応じて、自装置が上記移動端末装置の最も近くに存在する状態から外れた場合に、上記所定の画像データの表示を禁止する第２の表示制御手段とを具備したことを特徴とする画像表示装を提供するものである。
また、請求項５記載の発明は、第１の無線接続手段で接続される他の画像表示装置との間で画像データの送受を行なう複数の画像表示装置と、第２の無線接続手段で上記画像表示装置と接続される移動端末装置とを含む無線通信システムにおける画像表示装置が内蔵するコンピュータを、自装置が上記複数の画像表示装置のうち、上記移動端末装置の最も近くに存在することを検出する検出手段と、上記検出手段での検出結果に応じて、上記移動端末装置の最も近くに存在する状態となった場合に、上記移動端末装置に記憶されていた画像データ、または上記移動端末装置に関連した画像データである所定の画像データを表示する第１の表示制御手段と、上記移動端末装置の移動に伴い、上記検出手段での検出結果に応じて、自装置が上記移動端末装置の最も近くに存在する状態から外れた場合に、上記所定の画像データの表示を禁止する第２の表示制御手段として機能させることを特徴とするプログラムを提供するものである。
また、請求項６記載の発明は、第１の無線接続手段で接続される他の画像表示装置との間で画像データの送受を行なう複数の画像表示装置と、第２の無線接続手段で上記画像表示装置と接続される移動端末装置とを含む無線通信システムにおける無線通信方法であって、自装置が上記複数の画像表示装置のうち、上記移動端末装置の最も近くに存在することを検出する検出工程と、上記検出工程での検出結果に応じて、上記移動端末装置の最も近くに存在する状態となった場合に、上記移動端末装置に記憶されていた画像データ、または上記移動端末装置に関連した画像データである所定の画像データを表示する第１の表示制御工程と、上記移動端末装置の移動に伴い、上記検出工程での検出結果に応じて、自装置が上記移動端末装置の最も近くに存在する状態から外れた場合に、上記所定の画像データの表示を禁止する第２の表示制御工程とを有したことを特徴とする無線通信方法を提供するものである。
【発明の効果】
【０００８】
本発明によれば、複数の無線通信装置間で共有し得る画像データの秘匿性をより高めることが可能となる。
【図面の簡単な説明】
【０００９】
【図１】本発明の一実施形態に係る画像表示装置の設置環境を示す図。
【図２】同実施形態に係る画像表示装置の回路構成を示すブロック図。
【図３】同実施形態に係る画像データの受付から表示に至る処理内容を示すフローチャート。
【図４】同実施形態に係る画像データの受付から表示に至る処理内容を示すフローチャート。
【図５】同実施形態に係る携帯電話端末の移動に伴う画像データの転送状態を例示する図。
【図６】同実施形態に係る携帯電話端末の移動に伴う画像データの転送状態を例示する図。
【図７】同実施形態に係る携帯電話端末の移動に伴う画像データの転送状態を例示する図。
【発明を実施するための形態】
【００１０】
以下、一般に「デジタルフォトフレーム」や「電子写真立て」とも呼称される画像表示装置に本発明を適用した場合の一実施形態について図面を参照して説明する。  
図１は、本実施形態に係る画像表示装置の設置環境を例示する図である。１件の家屋内に散在する複数台の画像表示装置１０，１０，‥‥とアクセスポイントＡＰとを、例えばＩＥＥＥ８０２．１１ｂ／１１ｇ規格に則って無線接続し、ネットワークエリアＮＡ内での無線ＬＡＮ環境を構築する。
【００１１】
上記アクセスポイントＡＰは、図示しないインターネットとも接続され、ルーターの機能も兼ねることで、各画像表示装置１０，１０，‥‥をインターネットと接続可能とする。  
個々の画像表示装置１０は、装置内に装着するメモリカードに画像データを記憶し、記憶した画像データを用いて画像の表示を行なう。また画像表示装置１０は、上記アクセスポイントＡＰを介して他の画像表示装置１０との間で画像データの送受が可能であり、他の画像表示装置１０とで画像データを共有できる。
【００１２】
さらに画像表示装置１０は、上記無線ＬＡＮ機能に加えて、当該無線ＬＡＮよりも大幅に通信距離に短い近距離無線通信方式、例えばＢｌｕｅｔｏｏｔｈ（登録商標）（以下「ブルートゥース」と称する）のクラス３に対応し、約１［ｍ］以内に同じ規格の電子機器が存在する場合に双方間で無線通信で各種データを送受できる。
【００１３】
図１では、ブルートゥースに対応した携帯電話端末ＣＰが１台の画像表示装置１０とブルートゥースにより無線接続されている状態を示す。この携帯電話端末ＣＰは、ユーザが所持して上記ネットワークエリアＮＡ内を任意に移動するものとする。
【００１４】
上記携帯電話端末ＣＰは、カメラ機能を有し、静止画や動画を撮影することが可能である。したがって、上記携帯電話端末ＣＰ内に記憶されている静止画や動画の画像データは、ブルートゥースにより無線接続されている画像表示装置１０に読出され、当該画像表示装置１０で表示することが可能となる。
【００１５】
なお、携帯電話端末ＣＰが取得した画像データに対しては、付加データの一部として表示抑制用のコード情報を含ませておくことで、携帯電話端末ＣＰがブルートゥース機能で接続されていない画像表示装置１０、すなわち携帯電話端末ＣＰが近くに存在しない画像表示装置１０では、その携帯電話端末ＣＰに関連した画像を表示できないように制御できるものとする。
【００１６】
次に図２により画像表示装置１０の構成について説明する。  
図２はこの画像表示装置１０のハードウェア構成を示すものである。１１は各種処理制御を司るＣＰＵである。このＣＰＵ１１と主入出力処理部１２とがバス接続される。
【００１７】
この主入出力処理部１２は、さらにメインメモリ１３及びグラフィック処理部１４とそれぞれ専用のバスを介して接続される他、副入出力処理部１５とも別のバスにより接続される。主入出力処理部１２は、一般にノースブリッジとも呼称される回路であり、主としてこれらの間での入出力制御を実行する。
【００１８】
メインメモリ１３は、後述するソリッドステートドライブ２２から読出してくる動作プログラムや各種データを展開して記憶するワークメモリである。グラフィック処理部１４は、画像表示のためのグラフィックス処理を実行する。
【００１９】
副入出力処理部１５は、一般にサウスブリッジとも呼称される回路であり、無線処理部１６、表示処理部１７、及び記憶処理部１８と接続され、主としてこれら周辺回路と上記主入出力処理部１２との間の入出力制御を行なう。
【００２０】
無線処理部１６は、無線ＬＡＮ通信部１９、及びブルートゥース通信部２０と接続される。  
無線ＬＡＮ通信部１９は、上述した如く、例えばＩＥＥＥ８０２．１１ｂ／１１ｇ規格に則って２．４［ＧＨｚ］帯の電波で上記アクセスポイントＡＰを含む外部の機器とデータの送受を行なう。  
ブルートゥース通信部２０は、上述した如くブルートゥース規格に則って至近距離にある上記携帯電話端末ＣＰを含む外部の機器との間でのデータの送受を行なう。
【００２１】
上記表示処理部１７は、副入出力処理部１５を介して与えられるデジタル値の画像データに基づいて表示部２１を駆動し、対応する画像を表示させる。表示部２１は、例えばバックライト付きの透過型カラー液晶パネルとその駆動回路とで構成される。
【００２２】
記憶処理部１８は、ソリッドステートドライブ（ＳＳＤ）２２及びコネクタＣを介してメモリカード２３と接続され、これらと上記副入出力処理部１５との間の入出力制御を行なう。  
ソリッドステートドライブ２２は、不揮発性メモリで構成され、この画像表示装置１０の動作プログラムや各種データを固定的に記憶する。  
メモリカード２３は、この画像表示装置１０に対して着脱自在に装着され、主として画像データを記憶する。  
なお、これら画像表示装置１０を構成する個々のハードウェア回路自体は、きわめて一般的な周知の技術であるので、それらについてのより詳細な説明は省略する。
【００２３】
次に上記実施形態の動作について説明する。  
図３及び図４の動作は、画像表示装置１０が通常のフォトスタンド機能により、メモリカード２３に記憶している各種画像データに基づく画像の表示を行なう一方で、並行して実施する、ブルートゥース機器との接続に関する処理内容を示すものである。これら図３及び図４の処理内容は、ＣＰＵ１１がソリッドステートドライブ２２に記憶されている動作プログラムを読出し、読出した動作プログラムをメインメモリ１３に展開して記憶させることで順次実施する。
【００２４】
なお、ソリッドステートドライブ２２に記憶されている動作プログラムや固定データ等は、この画像表示装置１０の製造工場出荷時にソリッドステートドライブ２２に記憶されていたものに加え、例えばこの画像表示装置１０のバージョンアップに際して、上記アクセスポイントＡＰを介してインターネット経由で新たな動作プログラム、データ等をダウンロードして記憶するものも含む。
【００２５】
なお、上記携帯電話端末ＣＰは、事前のマッチング設定によりネットワークエリアＮＡ内の全画像表示装置１０，１０，‥‥に対して予めブルートゥース対応機器のＩＤ情報を登録済みであるものとする。
【００２６】
図３及び図４の動作当初には、ＣＰＵ１１が携帯電話端末ＣＰの近接による当該機器のＩＤ情報（図では「ＢＴ−ＩＤ」と称する）をブルートゥース通信部２０、無線処理部１６経由で取得したか否かにより、通信圏内に携帯電話端末ＣＰが存在するか否かを判断する（ステップＳ１０１）。
【００２７】
ここで携帯電話端末ＣＰのＩＤ情報を取得しなかった場合に、ＣＰＵ１１は次に無線ＬＡＮ接続される他の画像表示装置１０から画像の送信要求を示す信号を受信したか否かを判断する（ステップＳ１０２）。
【００２８】
ここで画像の送信要求を示す信号を受信しなかったと判断すると、ＣＰＵ１１は再び上記ステップＳ１０１からの処理に戻る。  
こうしてステップＳ１０１，Ｓ１０２の処理を繰返し実行することにより、上述した如くＣＰＵ１１は通常のフォトスタンド機能により画像の表示を行なう一方で、携帯電話端末ＣＰとの接続があるのを待機する。
【００２９】
携帯電話端末ＣＰを所持したユーザが近接することで、携帯電話端末ＣＰのＩＤ情報を取得した場合、ＣＰＵ１１はステップＳ１０１でそれを判断し、携帯電話端末ＣＰの信号強度レベルを検出する（ステップＳ１０３）。
【００３０】
次いでＣＰＵ１１は、アクセスポイントＡＰを介して他の画像表示装置１０，１０，‥‥すべてに対し、携帯電話端末ＣＰのＩＤ情報を付加して当該機器の信号強度レベルの情報の送信要求を示す信号を発信する（ステップＳ１０４）。
【００３１】
これに対応して他のすべての画像表示装置１０，１０，‥‥から信号強度レベルの情報が送られてくるのを待機する（ステップＳ１０５）。
【００３２】
この場合、上記携帯電話端末ＣＰの場合、上述した如く通信距離が１［ｍ］前後のクラス３の機器であるため、当然ながら他の画像表示装置１０，１０，‥‥から得られる、該当する携帯電話端末ＣＰの信号強度レベルの情報は「０（ゼロ）」を示す内容である可能性が高い。
【００３３】
そして、すべての画像表示装置１０，１０，‥‥からの信号強度レベルの情報を受信した時点で、ＣＰＵ１１は自装置で得られる携帯電話端末ＣＰの信号強度レベルの情報が他の装置の各信号強度レベルの情報に比して最も高いか否かにより、携帯電話端末ＣＰが自装置に最も近くに存在しているか否かを判断する（ステップＳ１０６）。
【００３４】
ここでＣＰＵ１１が自装置での信号強度レベルの情報より高い信号強度レベルの情報を他の装置から受信した場合には、携帯電話端末ＣＰとの接続処理を中断するものとして、上記ステップＳ１０１からの処理に戻る。
【００３５】
また、上記ステップＳ１０６で自装置で得られる信号強度レベルの情報が他の装置の各信号強度レベルの情報に比して最も高いものであると判断した場合、次にＣＰＵ１１は、上記アクセスポイントＡＰを介して他の画像表示装置１０，１０，‥‥すべてに対し、携帯電話端末ＣＰのＩＤ情報を付加して当該携帯電話端末ＣＰに関連した画像データの送信要求を示す信号を送信する（ステップＳ１０７）。  
携帯電話端末ＣＰに関連した画像データとは、携帯電話端末ＣＰの認識情報が付加された画像データである。
【００３６】
本実施形態では、携帯電話端末ＣＰ内に記憶される画像データはすべて、その携帯電話端末ＣＰを所持するユーザのプライベートに属するものであると想定し、該ユーザが近くに存在しない画像表示装置１０ではその携帯電話端末ＣＰに関連した画像データに基づき画像の表示は行なわないものとする。
【００３７】
上記送信要求を示す信号の送信後、応答動作として他の画像表示装置１０，１０，‥‥から携帯電話端末ＣＰに関連した画像データがあるか否かを判断する（ステップＳ１０８）。  
ここで携帯電話端末ＣＰに関連した画像データがあった場合にのみ、ＣＰＵ１１は他の画像表示装置１０，１０，‥‥から送られてくる画像データを受信し、装着されているメモリカード２３に記憶させる（ステップＳ１０９）。
【００３８】
図５は、携帯電話端末ＣＰとブルートゥース通信により接続されている画像表示装置１０に対し、アクセスポイントＡＰを経由して他の画像表示装置１０からファイル名「Ｄａｔａ＿１」の画像データが送られてきて記憶された状態を例示している。
【００３９】
この時点でＣＰＵ１１は、アクセスポイントＡＰとの接続を一時的に切断し、以後他の画像表示装置１０とは無線ＬＡＮのアドホック通信により子機間直接通信を行なうものとしてもよい。
【００４０】
なおアドホック通信とは、無線ＬＡＮ機器が備える動作設定の１つであり、親機であるアクセスポイントなしに、子機同士で直接通信する設定のことを示すものとする。
【００４１】
その後、ＣＰＵ１１は自装置のメモリカード２３内を検索し、携帯電話端末ＣＰのＩＤ情報と関連付けられた画像データがすでに記憶されているか否かを判断する（ステップＳ１１１）。
【００４２】
ここで、メモリカード２３に該当する画像データを記憶していると判断した場合にのみ、ＣＰＵ１１はその画像データに付加して設定されている、上述した表示抑制用のコード情報を一時的に解除する（ステップＳ１１２）。
【００４３】
次にＣＰＵ１１は、携帯電話端末ＣＰと自装置内のメモリカード２３とを相互参照した上で（ステップＳ１１３）、携帯電話端末ＣＰ側に、メモリカード２３には記憶していない、新規の画像データがあるか否かを判断する（ステップＳ１１４）。
【００４４】
ここで新規の画像データが携帯電話端末ＣＰにあると判断した場合にのみ、ＣＰＵ１１は携帯電話端末ＣＰからその新規の画像データを受信し、装着されているメモリカード２３に記憶させる（ステップＳ１１５）。
【００４５】
次いでＣＰＵ１１は、あらためてメモリカード２３内を検索し、携帯電話端末ＣＰのＩＤ情報が関連付けられた画像データがあるか否かを判断する（ステップＳ１１６）。
【００４６】
ここで携帯電話端末ＣＰのＩＤ情報が関連付けられた画像データがないと判断した場合に、ＣＰＵ１１はその時点で携帯電話端末ＣＰとの接続処理を中断するものとして、上記ステップＳ１０１からの処理に戻る。
【００４７】
また、上記ステップＳ１１６で携帯電話端末ＣＰのＩＤ情報が関連付けられた画像データが少なくとも１つあると判断した場合に、ＣＰＵ１１はそれまでの通常のフォトスタンド機能を一時的に停止する。
【００４８】
そしてＣＰＵ１１は、メモリカード２３に記憶されている携帯電話端末ＣＰ関連の画像データの数や、事前の設定内容に応じて、携帯電話端末ＣＰから直接、あるいは他の画像表示装置１０経由で得てメモリカード２３に記憶した全画像データをメモリカード１２３から読出し、読出した全画像データに基づいて表示部２１でのスライドショー表示を実行させる（ステップＳ１１７）。
【００４９】
このスライドショー表示にあっては、例えば「画像を変える頻度」「画像の切替えに特殊効果を使う」「画像のサイズ」「小さい画像を画面に合わせて引き延ばす」「画像ファイル名表示」等の項目を事前に選択して設定しておくことが可能であるものとする。
【００５０】
このスライドショー表示を行ないながら、ＣＰＵ１１は継続して携帯電話端末ＣＰからブルートゥース通信で取得する信号の強度レベルが、予め設定したしきい値より低下したか否かを判断する（ステップＳ１１８）。  
このしきい値は、例えば携帯電話端末ＣＰのＩＤ情報が取得可能な程度、例えばブルートゥースの規格のクラス３で規定される信号強度に基づいて設定される。
【００５１】
上記ステップＳ１１７，Ｓ１１８の処理を繰返し実行することでＣＰＵ１１は、携帯電話端末ＣＰからの信号強度レベルの低下が見られない限り、上記ステップＳ１１７でのスライドショー表示を継続する。
【００５２】
そしてＣＰＵ１１は、携帯電話端末ＣＰからの信号強度レベルが低下するとステップＳ１１８でそれを判断し、上記ステップＳ１１７での携帯電話端末ＣＰに関連した画像データによるスライドショー表示を停止する（ステップＳ１１９）。
【００５３】
その後、メモリカード２３に記憶する携帯電話端末ＣＰに関連した画像データにすべて表示抑制用のコード情報をあらためて設定し（ステップＳ１２０）、通常のフォトスタンド機能による、メモリカード２３に記憶している携帯電話端末ＣＰ関連以外の各種画像データに基づく画像の表示状態に復帰した上で、再び上記ステップＳ１０１からの処理に戻る。
【００５４】
また、上記ステップＳ１０２で他の画像表示装置１０から上記携帯電話端末ＣＰを含むブルートゥース対応機器のＩＤ情報を付加した画像データの送信要求を示す信号が送られてきたと判断した場合、ＣＰＵ１１は上記ＩＤ情報に基づいてメモリカード２３内を検索する（ステップＳ１２１）。
【００５５】
検索の結果、ＣＰＵ１１は携帯電話端末ＣＰに関連する画像データがあったかどうかを判断する（ステップＳ１２２）。
【００５６】
メモリカード２３に携帯電話端末ＣＰに関連する画像データがあったと判断した場合にＣＰＵ１１は、メモリカード２３から携帯電話端末ＣＰに関連する画像データを読出し、送信要求を示す信号を送ってきた他の画像表示装置１０に対して転送する（ステップＳ１２３）。
【００５７】
その後ＣＰＵ１１は、その転送した画像データそれ自体と、その画像データに関する付帯情報を含めた一切の情報をメモリカード２３から一括して消去し（ステップＳ１２４）、以上で次の処理に備えて上記ステップＳ１０１からの処理に戻る。
【００５８】
また、上記ステップＳ１２２で送信要求を示す信号に付加されたＩＤ情報に該当する画像データがなかったと判断した場合にＣＰＵ１１は、該当する画像データがない旨を示す応答信号を、送信要求を示す信号を送ってきた他の画像表示装置１０に対して送信し（ステップＳ１２５）、以上で次の処理に備えて上記ステップＳ１０１からの処理に戻る。
【００５９】
図６は、ブルートゥース通信により携帯電話端末ＣＰと複数の画像表示装置１０，１０，‥‥中の１台の画像表示装置１０Ａとが接続されており、携帯電話端末ＣＰのＩＤ情報が関連付けられたファイル名「Ｄａｔａ＿１」の画像データが画像表示装置１０Ａに記憶されて、その表示部２１で表示されている状態を例示する。  
ネットワークエリアＮＡ内の複数の画像表示装置１０，１０，‥‥は無線ＬＡＮ機能により相互に子機であることを認識しているが、ここでは、携帯電話端末ＣＰと画像表示装置１０Ａとの接続に際して、アクセスポイントＡＰと各画像表示装置１０，１０，‥‥との親機子機間の無線ＬＡＮ接続が一時的に切断されており、画像表示装置１０，１０，‥‥間はアドホック通信による子機間直接通信でのみデータの送受が可能であるものとする。
【００６０】
上記図６に示した状態から、携帯電話端末ＣＰを所持するユーザがネットワークエリアＮＡ内を移動した後、携帯電話端末ＣＰを今度は画像表示装置１０Ｃの近傍、１［ｍ］前後以内に載置したものとする。
【００６１】
上記図３での説明とは異なり、上記ステップＳ１０６で最も受信強度レベルが高いと判断した画像表示装置１０が以降はアクセスポイントＡＰとの接続を断ってネットワークエリアＮＡ内をアドホック通信で各種データの送受を行なうものとすると、それまで画像表示装置１０Ａに記憶されていた、携帯電話端末ＣＰに関連したファイル名「Ｄａｔａ＿１」の画像データは、画像表示装置１０ＡからアクセスポイントＡＰを介さずに画像表示装置１０Ｃまで直接転送されることとなる。
【００６２】
図７は、このときのファイル名「Ｄａｔａ＿１」の画像データの転送状態を例示する。すなわち、画像表示装置１０ＣのＣＰＵ１１が、上記ステップＳ１０７〜Ｓ１０９の処理を実行することにより当該画像データを受信してメモリカード２３に記憶させ、それに基づいた画像を表示部２１で表示させる。  
一方、画像データを送信する画像表示装置１０Ａ側のＣＰＵ１１は、上記ステップＳ１０２，Ｓ１２１〜Ｓ１２４の処理を実行することにより画像転送後にメモリカード２３から当該画像データを一括して消去する。
【００６３】
以上詳記した如く本実施形態によれば、携帯電話端末ＣＰに関連した画像データを複数の画像表示装置１０，１０，‥‥で共有するのに際して、ネットワークエリアＮＡの内部でのみ携帯電話端末ＣＰに関連した画像データを転送可能とした。  
加えて、携帯電話端末ＣＰに関連した画像データを、無線ＬＡＮ機能とは異なる狭小な通信距離の通信機能である、例えばブルートゥース機能を用いて携帯電話端末ＣＰが近在する画像表示装置１０でのみ閲覧することができるものとした。  
これにより、携帯電話端末ＣＰを所持するユーザが不在の場合には、携帯電話端末ＣＰに関連した画像をいずれの画像表示装置１０でも閲覧することができず、携帯電話端末ＣＰを所持するユーザが近くに存在する画像表示装置１０でのみ、携帯電話端末ＣＰに関連した画像を閲覧することができるので、無線通信装置間で共有し得る画像データの秘匿性をより高めることが可能となる。
【００６４】
加えて上記実施形態では、画像データの転送後に、画像データを送信した側の装置他では自動的に当該画像データを含む関連データ一式を一括して消去するものとした。これにより、画像データは複数の装置中の常に１台のみで記憶することとなるので、画像データの秘匿性をさらに高めることが可能となる。
【００６５】
さらに、上記実施形態では、無線ＬＡＮを構成する複数の子機間で直接画像データの送受を行なうことが可能であるものとした。このようなアドホック設定を実施することにより、アクセスポイントのような親機が不要となり、例えばＷｉ−Ｆｉ（登録商標）機能を有する携帯ゲーム機などが複数台ある環境下でも当該機器を画像表示装置として適用することが可能となり、秘匿性を保ちながら気軽に画像データに基づく表示を実現させることができる。
【００６６】
なお、上記実施形態は、電子フォトフレーム等とも称される画像表示装置に適用した場合について説明したが、本発明はこれに限らず、上述した如く携帯ゲーム機に適用することが可能であるのは勿論、さらには例えば一般的なパーソナルコンピュータの基本プログラムであるＯＳ（オペレーティングシステム）が備えるスライドショー機能にも追加して適用させることが可能となる。
【００６７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００６８】
１０…画像表示装置、１１…ＣＰＵ、１２…主入出力処理部、１３…メインメモリ、１４…グラフィック処理部、１５…副入出力処理部、１６…無線処理部、１７…表示処理部、１８…記憶処理部、１９…無線ＬＡＮ通信部、２０…ブルートゥース通信部、２１…表示部、２２…ソリッドステートドライブ（ＳＳＤ）、２３…メモリカード、ＡＰ…アクセスポイント、Ｃ…コネクタ、ＣＰ…携帯電話端末、ＮＡ…ネットワークエリア。
【図１】
0005397072.tif 000002
【図２】
0005397072.tif 000003
【図３】
0005397072.tif 000004
【図４】
0005397072.tif 000005
【図５】
0005397072.tif 000006
【図６】
0005397072.tif 000007
【図７】
0005397072.tif 000008